(57)【特許請求の範囲】
【請求項１】
建築用パネルと間仕切り用ジョイント材とを有し、
前記建築用パネルはそれぞれ曲げ弾性を有する平板から成る２枚の外板材の間に曲げ弾性を有する発泡樹脂製平板から成る中板材を挟んで接着して成り、
前記間仕切り用ジョイント材は細長い基部と複数対の保持部とを有し、
各保持部は、前記基部の側面から突出し、曲げ弾性を有する自由端側で対ごとに対向して互いの間に前記建築用パネルの縁部を弾力的に挟んで保持する構成を有し、
前記基部は長さ方向の軸線を中心として回転可能に両端が床梁および梁に取り付けられていることを、
特徴とする間仕切り構造。
【請求項２】
請求項１記載の間仕切り構造の解体方法であって、
前記基部を前記軸線を中心として回転させ、各保持部および前記建築用パネルを撓ませて前記縁部を各保持部から外すことを、
特徴とする間仕切り構造の解体方法。
【発明の詳細な説明】
【技術分野】
【０００１】
本発明は、間仕切り構造およびその解体方法に関する。
【背景技術】
【０００２】
従来、入隅用保持材を有し、その保持部で壁パネルを弾力的に挟んで保持する壁構造が、本発明者により開発されている（例えば、特許文献１参照）。
【先行技術文献】
【特許文献】
【０００３】
【特許文献１】特許第４３８７０５３号公報
【発明の概要】
【発明が解決しようとする課題】
【０００４】
特許文献１に記載の壁構造は、建物の解体および壁パネルの交換が容易な点で優れているが、入隅を構成する２本の柱に壁パネルが取り付けられた構造であった。そこで、柱のない位置でも施工が可能でかつ解体が容易な間仕切り構造が望まれている。
【０００５】
本発明は、このような課題に着目してなされたもので、柱のない位置でも施工が可能でかつ解体が容易な間仕切り構造およびその解体方法を提供することを目的とする。
【課題を解決するための手段】
【０００６】
上記目的を達成するために、本発明に関する建築用パネルは、それぞれ曲げ弾性を有する平板から成る２枚の外板材の間に曲げ弾性を有する発泡樹脂製平板から成る中板材を挟んで接着して成ることを特徴とする。
本発明に関する建築用パネルは、２枚の外板材の間に中板材を挟んで接着した構造から成り、曲げ弾性を有しながらも大きい強度が得られる。
【０００７】
本発明に係る間仕切り構造は、建築用パネルと間仕切り用ジョイント材とを有し、前記建築用パネルはそれぞれ曲げ弾性を有する平板から成る２枚の外板材の間に曲げ弾性を有する発泡樹脂製平板から成る中板材を挟んで接着して成り、前記間仕切り用ジョイント材は細長い基部と複数対の保持部とを有し、各保持部は、前記基部の側面から突出し、曲げ弾性を有する自由端側で対ごとに対向して互いの間に前記建築用パネルの縁部を弾力的に挟んで保持する構成を有し、前記基部は長さ方向の軸線を中心として回転可能に両端が床梁および梁に取り付けられていることを、特徴とする。
【０００８】
本発明に係る間仕切り構造は、間仕切り用ジョイント材の対の保持部で建築用パネルの縁部を弾力的に挟んで保持することにより施工できるので、間仕切り用ジョイント材を取り付ければ、柱のない位置でも施工が可能である。また、対の保持部から、弾力的に挟まれる建築用パネルの縁部を外せば、建築用パネルを取り外すことができるので、解体が容易である。間仕切り用ジョイント材は、１つで１枚の建築用パネルを保持可能であっても、２枚以上の建築用パネルを保持可能であってもよい。
【０００９】
本発明に係る間仕切り構造において、前記基部は長さ方向の軸線を中心として回転可能に両端が床梁および梁に取り付けられている。このため、以下の本発明に係る間仕切り構造の解体方法が可能である。
【００１０】
本発明に係る間仕切り構造の解体方法は、本発明に係る間仕切り構造の解体方法であって、前記基部を前記軸線を中心として回転させ、各保持部および前記建築用パネルを撓ませて前記縁部を各保持部から外すことを、特徴とする。
【００１１】
本発明に係る間仕切り構造の解体方法では、基部を軸線を中心として回転させることにより、建築用パネルの縁部を弾力的に挟んで保持する各保持部を撓ませ、さらに建築用パネルを撓ませて、建築用パネルの縁部を各保持部から外す。これにより、間仕切り構造の解体が容易となる。
【発明の効果】
【００１２】
本発明によれば、柱のない位置でも施工が可能でかつ解体が容易な間仕切り構造およびその解体方法を提供することができる。
【図面の簡単な説明】
【００１３】
【図１】本発明の実施の形態の間仕切り構造の（Ａ）間仕切り状態を示す平面図、（Ｂ）解体工程を示す平面図、（Ｃ）解体状態を示す平面図である。
【図２】本発明の実施の形態の間仕切り構造を示す正面図である。
【図３】本発明の実施の形態の間仕切り構造で用いられる間仕切り用ジョイント材の変形例を示す平面図である。
【図４】本発明の実施の形態の間仕切り構造で用いられる間仕切り用ジョイント材の他の変形例を示す平面図である。
【発明を実施するための形態】
【００１４】
以下、図面に基づき、本発明の実施の形態について説明する。
図１および図２は、本発明の実施の形態の建築用パネルおよび間仕切り構造を示している。
【００１５】
図１および図２に示すように、間仕切り構造１は、建築用パネル２と間仕切り用ジョイント材３とを有している。建築用パネル２は、２枚の外板材１１の間に中板材１２を挟んで接着して成る。各外板材１１は、それぞれ曲げ弾性を有する薄い平板から成る。中板材１２は、曲げ弾性を有する発泡樹脂製平板から成る。接着剤としては、固化したとき弾力性を有するゴム系接着剤が好ましい。
建築用パネル２は、２枚の外板材１１の間に中板材１２を挟んで接着した構造から成り、曲げ弾性を有しながらも大きい強度が得られる。各外板材１１および中板材１２のそれぞれは強度が小さくても、接着して３層構造とすることにより強度が大きくなっている。
【００１６】
間仕切り用ジョイント材３は、細長い基部２１と２対の保持部２２とを有し、例えばアルミニウム板材を加工して成っている。基部２１は、断面が正方形状をなし、長さ方向に伸びる貫通孔２３を有し、直線状に伸びている。各保持部２２は、基部２１の側面から基部２１の全長にわたって突出している。各保持部２２の自由端側は、曲げ弾性を有し、対ごとに間隔をあけて対向している。各保持部２２は、外側から基部２１側にＵターンして湾曲している。各対の保持部２２は、互いの間に建築用パネル２の縁部を弾力的に挟んで保持する構成を有している。
【００１７】
建築用パネル２は、縁部と基部２１との間に間隙をあけて各対の保持部２２で保持される。また、建築用パネル２は、図１の平面図で視た状態で、各対の保持部２２に対して保持される角度を調整可能である。各対の保持部２２は、互いに反対側に配置され、２枚の建築用パネル２を平面状に配置して仕切るのに適している。各保持部２２の自由端側は、他の対の一方の自由端側とそれぞれ連結している。
【００１８】
間仕切り用ジョイント材３は、図３または図４に示す形状であってもよい。図３に示す間仕切り用ジョイント材３では、２対の保持部２２が直角をなす方向に配置されている。図４に示す間仕切り用ジョイント材３は、互いに反対側に配置された２対の保持部２２と、その２対の保持部２２に直角をなす１対の保持部２２とを有している。図３に示す間仕切り用ジョイント材３は、２枚の建築用パネル２を直角をなすように配置して仕切るのに適している。図４に示す間仕切り用ジョイント材３は、２枚の建築用パネル２を平面状に配置して仕切った一方側を他の建築用パネル２で直角に仕切るのに適している。
【００１９】
図２に示すように、基部２１は長さ方向の軸線を中心として回転可能に両端が床梁４および梁５に取り付けられている。床梁４および梁５には、それぞれボルト６が縦方向に貫通して固定されている。間仕切り用ジョイント材３は、両端から基部２１の貫通孔２３に各ボルト６を挿入されてボルト６に対して回転可能に取り付けられている。間仕切り用ジョイント材３は、上端を梁５に当てたとき、床梁４のボルト６から外れる長さを有している。このため、間仕切り用ジョイント材３は、取付け取外しが容易である。
【００２０】
間仕切り構造１は、間仕切り用ジョイント材３の対の保持部２２で建築用パネル２の縁部を弾力的に挟んで保持することにより施工できるので、間仕切り用ジョイント材３を取り付ければ、柱のない位置でも施工が可能である。また、間仕切り構造１は、対の保持部２２から弾力的に挟まれる建築用パネル２の縁部を外せば、建築用パネル２を取り外すことができるので、解体が容易である。
【００２１】
図１（Ａ）〜（Ｃ）に示すように、間仕切り構造１の解体方法は、貫通孔２３に各ボルト６を挿入された基部２１を軸線を中心として回転させ、建築用パネル２の縁部を弾力的に挟んで保持する各保持部２２および建築用パネル２を撓ませて、建築用パネル２の縁部を各保持部２２から外すことによって行われる。これにより、間仕切り構造１の解体がさらに容易となる。間仕切り用ジョイント材３は、上側に持ち上げて、基部２１を床梁４のボルト６から外すことで容易に取り外すことができる。
【符号の説明】
【００２２】
１  間仕切り構造
２  建築用パネル
３  間仕切り用ジョイント材
４  床梁
５  梁
１１  外板材
１２  中板材
２１  基部
２２  保持部
２３  貫通孔
【図１】
0006598192.tif 000002
【図２】
0006598192.tif 000003
【図３】
0006598192.tif 000004
【図４】
0006598192.tif 000005